【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
無線通信を行う通信部と、
複数の端末装置間の通信において、制御情報を送信するための第１のチャネルと、データを送信するための第２のチャネルと、のそれぞれに対してリソースを割り当てる制御部と、
前記リソースに関する情報を、前記複数の端末装置のうち少なくともいずれかの端末装置に通知する通知部と、を備え、
前記制御部は、複数の端末装置のうちの第２の端末装置が、前記第２の端末装置と異なる第１の端末装置からのデータの送信に対する応答を、当該第１の端末装置に通知するための第３のチャネルが、所定の期間中に送受信されるように、当該第３のチャネルに対して前記リソースを割り当てる、
を備える、通信装置。
【請求項２】
前記制御部は、前記第１のチャネルと、前記第２のチャネルと、のそれぞれに対して前記リソースを動的に割り当てる、請求項１に記載の通信装置。
【請求項３】
前記制御部は、前記所定の期間中に、前記第１のチャネルと前記第２のチャネルと前記第３のチャネルとが送受信されるように、当該第１のチャネル、当該第２のチャネル、及び当該第３のチャネルのそれぞれに対して前記リソースを割り当てる、請求項１または２に記載の通信装置。
【請求項４】
前記制御部は、前記複数の端末装置のうちの第１の端末装置が、前記第１の端末装置とは異なる第２の端末装置に対して、前記制御情報を送信するための前記第１のチャネルと、前記データを送信するための前記第２のチャネルと、が前記一連の期間中に送受信されるように前記リソースを割り当て、
前記通知部は、当該リソースに関する情報を、前記複数の端末装置のうち少なくとも前記第１の端末装置に通知する、
請求項３に記載の通信装置。
【請求項５】
前記通知部は、当該リソースに関する情報を、前記複数の端末装置のうち少なくとも前記第１の端末装置に通知する、
請求項４に記載の通信装置。
【請求項６】
前記制御部は、前記複数の端末装置のうちの第１の端末装置が、前記第１の端末装置とは異なる第２の端末装置に対して前記制御情報を送信するための前記第１のチャネルと、前記第２の端末装置が、前記第１の端末装置に対して前記データを送信するための前記第２のチャネルと、が前記一連の期間中に送受信されるように前記リソースを割り当て、
前記通知部は、当該リソースに関する情報を、前記複数の端末装置のうち少なくとも前記第１の端末装置に通知する、
請求項３に記載の通信装置。
【請求項７】
前記制御部は、前記第１の端末装置からデータを受信するための第４のチャネルに対して前記リソースを割り当て、
前記通知部は、当該リソースに関する情報を、前記複数の端末装置のうち少なくとも前記第１の端末装置に通知する、
請求項６に記載の通信装置。
【請求項８】
前記制御部は、前記第１の端末装置と複数の前記第２の端末装置それぞれとの間で、前記第１のチャネル及び前記第２のチャネルが送受信されるように、前記第２の端末装置ごとに個別に前記リソースを割り当てる、請求項６または７に記載の通信装置。
【請求項９】
前記第１の端末装置は、前記無線通信の範囲内に位置する前記端末装置であり、
前記第２の端末装置は、前記無線通信の範囲外に位置する前記端末装置である、
請求項６〜８のいずれか一項に記載の通信装置。
【請求項１０】
前記制御部は、前記リソースに関する情報を前記端末装置に送信する所定の単位期間を含む、連続する１以上の前記単位期間を対象として、前記第１のチャネル及び前記第２のチャネルそれぞれに対して前記リソースを割り当てる、請求項１または２に記載の通信装置。
【請求項１１】
前記制御部は、所定の単位期間を複数含む連続した一連の期間における、前記第１のチャネルと前記第２のチャネルとのそれぞれに対する前記リソースの割り当てを、前記単位期間ごとに制御し、
前記通知部は、当該一連の期間中において当該リソースが割り当てられた前記単位期間に関する情報を、前記複数の端末装置のうち少なくともいずれかの端末装置に通知する、
請求項１または２に記載の通信装置。
【請求項１２】
前記通知部は、前記単位期間ごとに前記リソースが割り当てられているか否かが示されたビットマップ情報を、前記単位期間に関する情報として、前記複数の端末装置のうち少なくともいずれかの端末装置に通知する、請求項１１に記載の通信装置。
【請求項１３】
前記制御部は、前記単位期間中において、少なくとも一部の周波数帯域を対象として前記リソースを割り当て、
前記通知部は、前記リソースが割り当てられた前記周波数帯域に関する情報を、前記複数の端末装置のうち少なくともいずれかの端末装置に通知する、
請求項１１または１２に記載の通信装置。
【請求項１４】
前記制御部は、前記周波数帯域を対象としてリソースブロック単位で前記リソースを割り当て、
前記通知部は、前記リソースが割り当てられた前記リソースブロックの、周波数方向に沿った開始位置、終了位置、及び連続するリソースブロック数それぞれを示す情報を、前記周波数帯域に関する情報として、前記複数の端末装置のうち少なくともいずれかの端末装置に通知する、
請求項１３に記載の通信装置。
【請求項１５】
前記所定の期間は、所定数のシンボルで構成される単位時間である、
請求項１〜１４のいずれか一項に記載の通信装置。
【請求項１６】
前記所定の期間は、サブフレームである、
請求項１〜１５のいずれか一項に記載の通信装置。
【請求項１７】
無線通信を行う通信部と、
複数の端末装置間の通信における、制御情報を送信するための第１のチャネルと、データを送信するための第２のチャネルと、のそれぞれに対して割り当てられたリソースに関する情報を、基地局から取得する取得部と、を備え、
複数の端末装置のうちの第２の端末装置が、前記第２の端末装置と異なる第１の端末装置からのデータの送信に対する応答を、当該第１の端末装置に通知するための第３のチャネルが、所定の期間中に送受信されるように、当該第３のチャネルに対して前記リソースが割り当てられており、
前記取得部は、前記基地局から当該リソースに関する情報を取得する、
通信装置。
【請求項１８】
無線通信を行うことと、
コンピュータが、
複数の端末装置間の通信において、制御情報を送信するための第１のチャネルと、データを送信するための第２のチャネルと、のそれぞれに対してリソースを割り当てることと、
前記リソースに関する情報を、前記複数の端末装置のうち少なくともいずれかの端末装置に通知することと、
複数の端末装置のうちの第２の端末装置が、前記第２の端末装置と異なる第１の端末装置からのデータの送信に対する応答を、当該第１の端末装置に通知するための第３のチャネルが、所定の期間中に送受信されるように、当該第３のチャネルに対して前記リソースを割り当てることと、
を含む、通信方法。
【請求項１９】
無線通信を行うことと、
コンピュータが、複数の端末装置間の通信における、制御情報を送信するための第１のチャネルと、データを送信するための第２のチャネルと、のそれぞれに対して割り当てられたリソースに関する情報を、基地局から取得することと、を含み、
複数の端末装置のうちの第２の端末装置が、前記第２の端末装置と異なる第１の端末装置からのデータの送信に対する応答を、当該第１の端末装置に通知するための第３のチャネルが、所定の期間中に送受信されるように、当該第３のチャネルに対して前記リソースが割り当てられており、
前記基地局から当該リソースに関する情報を取得すること、
を含む、通信方法。
【請求項２０】
コンピュータに、
無線通信を行うことと、
複数の端末装置間の通信において、制御情報を送信するための第１のチャネルと、データを送信するための第２のチャネルと、のそれぞれに対してリソースを割り当てることと、
前記リソースに関する情報を、前記複数の端末装置のうち少なくともいずれかの端末装置に通知することと、
複数の端末装置のうちの第２の端末装置が、前記第２の端末装置と異なる第１の端末装置からのデータの送信に対する応答を、当該第１の端末装置に通知するための第３のチャネルが、所定の期間中に送受信されるように、当該第３のチャネルに対して前記リソースを割り当てることと、
を実行させる、プログラム。
【請求項２１】
コンピュータに、
無線通信を行うことと、
複数の端末装置間の通信における、制御情報を送信するための第１のチャネルと、データを送信するための第２のチャネルと、のそれぞれに対して割り当てられたリソースに関する情報を、基地局から取得することと、を実行させ、
複数の端末装置のうちの第２の端末装置が、前記第２の端末装置と異なる第１の端末装置からのデータの送信に対する応答を、当該第１の端末装置に通知するための第３のチャネルが、所定の期間中に送受信されるように、当該第３のチャネルに対して前記リソースが割り当てられており、
前記コンピュータに、前記基地局から当該リソースに関する情報を取得すること、
を実行させる、プログラム。